(57)【要約】【課題】レーザ光束がコヒーレントな状態のままで外部に漏出するのを有効に防止できる新規なレーザ光源装置の実現を課題とする。【解決手段】レーザ光源装置は、複数のレーザビームを合成してレーザ光束とするレーザ光源１０、１１、１２と、該レーザ光源からのレーザ光束ＬＢの可干渉性を除去もしくは低減するホモジナイザ１４と、該ホモジナイザ１４を通過したレーザ光束を射出させる射出光学系２０と、前記ホモジナイザ１４から前記射出光学系２０に向かう前記レーザ光束の一部を検出用レーザ光束として分岐させる光分離手段１６と、複数の受光部を有し、前記光分離手段１６により分岐された検出用レーザ光束ＬＳを受光する光検出手段１８と、該光検出手段の複数の受光部の出力に基づき、前記レーザ光源の発光制御を行う発光制御手段２５と、を有する。【選択図】図１
2015169826.tif 000002
【特許請求の範囲】
【請求項１】
複数のレーザビームを合成してレーザ光束とするレーザ光源と、
該レーザ光源からのレーザ光束の可干渉性を除去もしくは低減するホモジナイザと、
該ホモジナイザを通過したレーザ光束を射出させる射出光学系と、
前記ホモジナイザから前記射出光学系に向かう前記レーザ光束の一部を検出用レーザ光束として分岐させる光分離手段と、
複数の受光部を有し、前記光分離手段により分岐された検出用レーザ光束を受光する光検出手段と、
該光検出手段の複数の受光部の出力に基づき、前記レーザ光源の発光制御を行う発光制御手段と、を有するレーザ光源装置。
【請求項２】
請求項１記載のレーザ光源装置において、
発光制御手段が、複数の受光部の出力の異常を検出したときに、レーザ光源の発光を停止もしくは減光させるレーザ光源装置。
【請求項３】
請求項２記載のレーザ光源装置において、
複数の受光部の出力の異常は、１以上の受光部の出力が所定量を超えることにより検出されるレーザ光源装置。
【請求項４】
請求項２記載のレーザ光源装置において、
複数の受光部の出力の異常は、少なくとも２つの受光部の出力の差分が所定量を超えることにより検出されるレーザ光源装置。
【請求項５】
請求項１ないし４の何れか１項に記載のレーザ光源装置において、
複数の受光部を有する光検出手段が、複数の受光部を相互に近接させた複数の受光手段であるレーザ光源装置。
【請求項６】
請求項５記載のレーザ光源装置において、
光検出手段が、１パッケージに複数の受光部を備えた分割フォトダイオードであるレーザ光源装置。
【請求項７】
請求項１ないし６の何れか１項に記載のレーザ光源装置において、
光分離手段が、入射光の一部を反射させずに透過させるように反射率を設定された反射ミラーであるレーザ光源装置。
【請求項８】
請求項１ないし７の何れか１項に記載のレーザ光源装置において、
レーザ光源から得られるレーザ光束により該レーザ光束の色と異なる色の蛍光を放射する蛍光ホイールを有するレーザ光源装置。
【請求項９】
請求項１ないし８の何れか１項に記載のレーザ光源装置において、
レーザ光源から得られるレーザ光束の色と異なる非可干渉性の光を放射するインコヒーレント光源を有するレーザ光源装置。
【請求項１０】
画像表示素子に表示される画像をレーザ光源装置による照明光により照射し、前記画像により変調された光を、投影光学系により拡大して投影表示する投影表示装置であって、
レーザ光源装置として、請求項１ないし９の何れか１項に記載のものを用いる投影表示装置。
【発明の詳細な説明】
【技術分野】
【０００１】
この発明は、レーザ光源装置および投影表示装置に関する。
【背景技術】
【０００２】
画像表示素子に表示される画像をレーザ光源装置による照明光により照射し、前記画像により変調された光を、投影光学系により拡大して投影表示する投影表示装置は近来、広く普及しつつある。
【０００３】
画像表示素子には透過型や反射型の液晶パネルや、デジタル・マイクロミラー・デバイス（以下「ＤＭＤ」と称する。）等の各種の「ライトバルブ」が用いられる。
【０００４】
投影される画像のサイズが大画面化するに従い、画像表示素子を照射する照明光にも大光量が必要となり、このような大容量のレーザ光を得るのに、複数のレーザビームを合成したレーザ光束を用いることが行われている（特許文献１等）。
【０００５】
ところで、よく知られたように、レーザビームはコヒーレント（可干渉）であって「エネルギ密度」が高い。
【０００６】
複数のレーザビームを合成したレーザ光束は、エネルギ密度が極めて高いので、このようなレーザ光束が直接的に外部に漏れると危険性が高い。
【０００７】
このため、レーザ光束を用いるレーザ光源装置では、レーザ光の持つ可干渉性を除去したり低減させたりするためのホモジナイザが用いられる（特許文献２等）。
【０００８】
しかしながら、何らかの原因で、ホモジナイザが破損した場合や「定位置から脱落」した場合には、レーザ光束がコヒーレントな状態のままで外部に漏れる恐れがある。
【発明の概要】
【発明が解決しようとする課題】
【０００９】
この発明は、レーザ光束がコヒーレントな状態のままで外部に漏出するのを有効に防止できる新規なレーザ光源装置の実現を課題とする。
【課題を解決するための手段】
【００１０】
この発明のレーザ光源装置は、複数のレーザビームを合成してレーザ光束とするレーザ光源と、該レーザ光源からのレーザ光束の可干渉性を除去もしくは低減するホモジナイザと、該ホモジナイザを通過したレーザ光束を射出させる射出光学系と、前記ホモジナイザから前記射出光学系に向かう前記レーザ光束の一部を検出用レーザ光束として分岐させる光分離手段と、複数の受光部を有し、前記光分離手段により分岐された検出用レーザ光束を受光する光検出手段と、該光検出手段の複数の受光部の出力に基づき、前記レーザ光源の発光制御を行う発光制御手段と、を有する。
【発明の効果】
【００１１】
この発明によれば、レーザ光束がコヒーレントな状態のままで外部に漏出するのを有効に防止できる新規なレーザ光源装置を実現できる。
【図面の簡単な説明】
【００１２】
【図１】レーザ光源装置の実施の１形態を示す図である。
【図２】光検出手段を説明するための図である。
【図３】制御手段である制御装置の構成の１例を示す図である。
【図４】制御装置における各種信号の状態を示す図である。
【図５】正常状態と異常状態における光検出手段への光の入射状態を説明するための図である。
【図６】制御装置の別の構成例を示す図である。
【図７】レーザ光源装置の実施の別形態を示す図である。
【図８】蛍光ホイールを説明するための図である。
【図９】レーザ光源装置の実施の他の形態を示す図である。
【図１０】蛍光ホイールを説明するための図である。
【図１１】レーザ光源装置の実施のさらに他の形態を示す図である。
【図１２】ミラーホイールを説明するための図である。
【図１３】蛍光ホイールを説明するための図である。
【図１４】投影表示装置の実施の１形態を示す図である。
【発明を実施するための形態】
【００１３】
以下、実施の形態を説明する。  
図１は、レーザ光源装置の実施の１形態を概略的に示している。
【００１４】
図１において、符号１０は「ＬＤモジュール」、符号１１は「ＬＤ駆動部」、符号１２は「ビーム合成光学系」を示す。
【００１５】
また、符号１４は「ホモジナイザ」、符号１６は「光分離手段」、符号１８は「光検出手段」を示し、符号２０は「射出光学系」を示す。
【００１６】
さらに、符号２２〜２２４は「増幅器」、符号２３１〜２３４は「アナログデジタル変換器（以下「ＡＤＣ」と略記する。）」、符号２５は「制御手段」としての制御部を示している。
【００１７】
ＬＤモジュール１０は、複数のＬＤ（半導体レーザ）１００と、これら複数のＬＤに個別的に組み合わせられたコリメータレンズ１０１を有している。
【００１８】
個々のＬＤ１００とコリメートレンズ１０１とは、基板上の所定の位置に整然と配列保持され、各ＬＤ１００はＬＤ駆動部１１により駆動されて点滅する。  
即ち、ＬＤ駆動部１１により個々のＬＤ１００を点灯すると、放射されたレーザビームは、各ＬＤに対応するコリメートレンズ１０１により平行光束化される。
【００１９】
このように平行光束化されたレーザビームは互いに平行で、ビーム合成光学系１２に入射する。
【００２０】
なお、ＬＤ１００を配列された基板は、ＬＤ１００で発生する熱を放熱してＬＤ１００の温度上昇を所定範囲内に抑えるヒートシンクの機能を有している。
【００２１】
ＬＤ１００の個々からは、所定の色の波長のレーザビームが放射される。以下の説明において、このレーザビームは「青色のレーザビーム」であるとする。
【００２２】
ビーム合成光学系１２は、正レンズ１２１と負レンズ１２２とを有し、ＬＤモジュール１０の側から入射する複数のレーザビームを、互いに合成してレーザ光束ＬＢとする。
【００２３】
即ち、ビーム合成光学系１２は「アフォーカル系」で、正レンズ１２１の射出側焦点位置が、負レンズ１２２の射出側焦点位置と合致している。
【００２４】
平行光束化された青色の複数のレーザビームは、それぞれが、正レンズ１２１により、その射出側焦点位置に向かって集光しつつ負レンズ１２２に入射する。
【００２５】
負レンズ１２２は、入射してくる複数のレーザビームを１つの「纏まった平行光束」に合成し、負レンズ１２２から青色のレーザ光束ＬＢが射出する。
【００２６】
このように、ＬＤモジュール１０とＬＤ駆動部１１と、ビーム合成光学系１２とは「レーザ光源」を構成する。
【００２７】
即ち「レーザ光源」は、複数のレーザビームを合成してレーザ光束ＬＢとする。
【００２８】
合成されたレーザ光束ＬＢはコヒーレントであり、ホモジナイザ１４に入射する。
【００２９】
ホモジナイザ１４は、レーザ光束ＬＢの有する可干渉性を「除去もしくは軽減」する機能を持つ。
【００３０】
従って、ホモジナイザ１４を通過した光束は、可干渉性がないか、あるいは「外部に漏れても危険がない程度に可干渉性が十分に弱められ」ている。
【００３１】
ホモジナイザ１４としては、拡散板やマイクロプリズムアレイ、マイクロレンズアレイ等、レーザ光束ＬＢの波面にランダムな変化を与え、可干渉性を消滅もしくは軽減できるものを適宜用いることができる。
【００３２】
以下では、ホモジナイザ１４として「拡散板」を想定し、拡散板１４ともいう。
【００３３】
また、拡散板１４により可干渉性を消滅もしくは軽減された光束（レーザ光）を、以下において「非可干渉性光束」と称する。
【００３４】
図１において符号ＩＬＢはこの非可干渉性光束を示している。
【００３５】
非可干渉性光束ＩＬＢは、光分離手段１６に入射する。  
光分離手段１６は、入射する非可干渉性光束ＩＬＢの相当部分(例えば９７％)を反射し、残余を透過させる「反射ミラー」である。
【００３６】
光分離手段は、このように「反射率・透過率の制御により光束分離を行うもの」に限らず、例えば、偏光反射膜にように偏光状態を利用して分離を行うもの等、公知の適宜のものを用いることができる。
【００３７】
光分離手段１６により反射された非可干渉性光束ＩＬＢは、射出光学系２０を介し、レーザ光源装置の外部へ照明光Ｌｔとして射出する。
【００３８】
拡散板１４が正常に機能していれば、照明光Ｌｔは可干渉性を除去もしくは十分に低減された「インコヒーレントな状態」であり、危険性は少ない。
【００３９】
一方、光分離手段１６を透過した非可干渉性光束は、検出用レーザ光束ＬＳとして光検出手段１８に入射する。  
即ち、光分離手段１６は、ホモジナイザ１４から射出光学系２０に向かうレーザ光束ＩＬＢの一部を検出用レーザ光束ＬＳとして分岐させる。
【００４０】
勿論、光分離手段による光束の分岐は、この例に限らず、光分離手段により反射させた光を光検出手段１８に入射させ、光分離手段を透過した光を射出光学系２０を介して外部へ放射するようにしてもよい。
【００４１】
図２は、光検出手段１８の１例を説明図的に示している。  
図２に示された例は「１パッケージに複数の受光部を備えた分割フォトダイオード」である。
【００４２】
即ち、図２に示す光検出手段１８は「４分割フォトダイオード」であり、受光面が４つの受光部ＰＤ１、ＰＤ２、ＰＤ３、ＰＤ４に分割されている。
【００４３】
これら受光部ＰＤ１ないしＰＤ４は、それぞれ独立して「受光した光量に対応する受光信号」を出力するようになっている。
【００４４】
受光部ＰＤ１ないしＰＤ４から出力する電流信号を図１において、符号ＰＤ１１ないしＰＤ１４で表す。
【００４５】
これら電流信号ＰＤ１１ないしＰＤ１４は、増幅器２２１ないし２２４に入力し、それぞれ増幅されて電圧信号ＰＤＶ１ないしＰＤＶ４に変換される。
【００４６】
これら電圧信号ＰＤＶ１ないしＰＤＶ４は、ＡＤＣ１ないしＡＤＣ４で、デジタル信号ＰＤＤ１ないしＰＤＤ４に変換される。
【００４７】
デジタル信号ＰＤＤ１ないしＰＤＤ４は制御部２５に入力する。
【００４８】
制御部２５は、入力されるデジタル信号ＰＤＤ１ないしＰＤＤ４に基づき、ホモジナイザ（拡散板）１４が正しく機能しているか否かを判断してレーザ光源の発光制御を行う。
【００４９】
図１において、制御部２５に入力される制御信号ＣＴＲＬは、外部装置やユーザ操作(いずれも図示されず。)等によりレーザ光源を制御し、あるいは「レーザ光源装置の状態」を外部装置やユーザ操作手段などに出力するための制御信号である。
【００５０】
制御信号ＣＴＲＬは、例えば「Ｉ２ＣやＳＰＩなどのシリアル通信インタフェース手段」を用いて対応するコマンドやデータを入出力することにより実現できる。
【００５１】
以下、発光制御を説明する。
【００５２】
図３および図４を参照する。  
図３は、図１に制御部２５として示した制御手段の構成の１例を示す図である。
【００５３】
「制御手段」である制御部２５は、ＣＰＵ２５１、デジタル信号プロセッサ（ＤＳＰ）２５２、比較器２５３、メモリ２５４を有する。
【００５４】
ＣＰＵ２５１は「制御部全体の動作を制御するブロック」を構成する。
【００５５】
ＣＰＵ２５１は、制御信号ＣＴＲＬにより起動命令を受けると、図４に示す周期：Ｔ０の同期信号ＳＹＮＣに基く所定の開始タイミング：Ｔ１で、ＬＤ１００の発光を制御する制御信号ＬＤＣをＬＤ駆動部１１(図１)に出力する。
【００５６】
ＬＤ駆動部１１は、制御信号ＬＤＣを受けると、期間：Ｔ２の間、ＬＤ駆動電流ＩＬ１を生成し、ＬＤ１００に出力する（図４）。  
ＬＤ１００は駆動電流ＩＬ１の通電により、所定の波長のレーザビーム(説明中の例で「青色のレーザビーム」)を放射する。
【００５７】
ＣＰＵ２５１はまた、制御信号ＤＳＰＣをＤＳＰ２５２に出力する。  
ＤＳＰ２５２は、データ信号ＰＤＤ１ないしＰＤＤ４を入力される。  
図４に示すように、ＣＰＵ２５１から入力される制御信号ＤＳＰＣが「Ｈレベル」になると、Ｈレベルが保たれる間のデータ信号ＰＤＤ１ないしＰＤＤ４の「それぞれの平均値」を計算する。
【００５８】
算出された各平均値は、図３に示すように、各々、平均値データＡＶＧＤ１ないしＡＶＧＤ４として比較器２５３に向けて出力される。  
データ信号ＰＤＤ１ないしＰＤＤ４の平均をとるのは「受光信号のノイズ成分等を除去」するためである。
【００５９】
図４に示すように、ＣＰＵ２５１から入力される制御信号ＤＳＰＣが「Ｌレベル」になると、ＤＳＰ２５２は「平均値を計算する処理」を終了する。
【００６０】
そして、その時点での平均値データＡＶＧＤ１ないしＡＶＧＤ４を保持する。
【００６１】
このように保持された平均値データＡＶＧＤ１ないしＡＶＧＤ４が、光検出手段１８の受光部ＰＤ１〜ＰＤ４で受光された青色光の「光量データ」となる。
【００６２】
平均値データＡＶＧＤ１ないしＡＶＧＤ４は、比較器２５３に入力される。
【００６３】
制御信号ＤＳＰＣは「制御信号ＬＤＣによりＬＤが発光を開始してから、そのデータ信号ＰＤＤ１ないしＰＤＤ４が受信されるまでの遅延時間」を考慮している。
【００６４】
即ち、図４に示すように、制御信号ＬＤＣの立ち上がりに対して時間：Ｔ３だけ開始タイミングが遅らされる。
【００６５】
また、ＬＤが確実に発光している間に「データ信号ＰＤＤ１ないしＰＤＤ４の平均値の計算処理」が終了するように、制御信号ＬＤＣの終了に対して時間：Ｔ４だけ終了タイミングを早めている。
【００６６】
比較器２５３はＤＳＰ２５２から平均値データＡＶＧＤ１ないしＡＶＧＤ４の入力を受けるとともに、メモリ２５４から閾値データＭＤ１ないしＭＤ４の入力を受ける。
【００６７】
そして、これら平均値データＡＶＧＤｘと閾値データＭＤｘ（ｘ＝１〜４）を、それぞれ比較し、その結果を信号Ｃｘ(ｘ＝１〜４）として出力する。
【００６８】
図４に示すように、信号Ｃｘ(ｘ＝１〜４）は、例えばＡＶＧＤｘ≦ＭＤｘのとき「Ｌ」で、ＡＶＧＤｘ＞ＭＤｘのとき「Ｈ」になる。  
ＣＰＵ２５１は、制御信号ＤＳＰＣを「Ｌ」におとした後の信号Ｃ１〜Ｃ４の何れかが「Ｈ」であることを検知すると、制御信号ＬＤＣを操作して、ＬＤモジュール１０における全てのＬＤ１００の発光を停止させる。
【００６９】
即ち、例えば「平均値データＡＶＧＤ１が閾値データＭＤ１よりも大きい場合」であれば、光検出器の受光部ＰＤ１が受光する光量に大きな変化があったとし、拡散板１４の機能に異常(破損や脱落)が生じたものと判断するわけである。
【００７０】
この点につき、図５を参照して説明する。
【００７１】
図５（ａ）は、拡散板１４が「適正に機能」している場合を説明するための図である。
【００７２】
前述の如く、拡散板１４に入射するレーザ光束ＬＢは「複数のレーザビームを合成したレーザ光束」であって可干渉状態(コヒーレント)である。
【００７３】
このレーザ光束ＬＢが、拡散板１４により適正に「可干渉性を除去もしくは十分に軽減された」場合、検出用レーザ光束ＬＳの光強度は「光束全体で均等」な状態である。
【００７４】
即ち、このときの検出用レーザ光束ＬＳの「光検出手段の４つの受光部ＰＤ１〜ＰＤ４における強度分布」は一様で、受光部ＰＤ１ないしＰＤ４の出力は実質的に等しい。
【００７５】
上述の閾値データＭＤ１ないしＭＤ４は、図５（ａ）に示す「正常状態における受光信号に対して誤検知を生じない適当な値」に設定される。  
拡散板１４に異常がある場合、即ち、拡散板が脱落したり、破損したような場合には、拡散板１４による「可干渉性の除去もしくは十分な軽減」は行われない。
【００７６】
この状態では、光検出手段には「可干渉なレーザ光束」が入射することになる。
【００７７】
ところで、レーザ光源からのレーザ光束ＬＢは「複数のレーザビームが合成された」ものであり、これを微視的にみると、複数の平行レーザビームが「互いに密接して束ねられた状態」となっており、拡散板１４による「ビーム相互の融合」が行われない。
【００７８】
このため、光検出手段１８の受光部には、図５（ｂ）に示すように、複数の可干渉なレーザビームＢＭ１、ＢＭ２・・、ＢＭｉ・・が別箇に入射する状態になる。
【００７９】
これは「光学系を構成する各部品の性能ばらつきやレーザ光源の実装交差などの影響」によるものである。
【００８０】
即ち、この状態では、受光部ＰＤ１ないしＰＤ４の受光量は、相互に不均一になる。
【００８１】
例えば、図５（ｂ）の状態では、受光部ＰＤ１及びＰＤ２の受光量が、正常状態よりも少なくなり、受光部ＰＤ３及びＰＤ４での受光量が正常状態よりも増加している。
【００８２】
この例では特に「受光部ＰＤ４での受光量の増加量」が大きく、閾値データＭＤ４を超え、その結果、図４のように信号Ｃ４が「Ｈレベル」になる。
【００８３】
ＣＰＵ２５１は、この状態を検出して、制御信号ＬＤＣにより「レーザ光源の発光を停止」するのである。
【００８４】
若干付言すると、図５において、受光部ＰＤ１ないしＰＤ４が互いに分離せず「単一の受光部」をなす場合を考えてみる。
【００８５】
この場合、図５（ａ）に示す正常状態も、図５（ｂ）に示す異常状態も、受光部における「光の分布」は異なるものの、単一の受光部としての受光量には変化はない。
【００８６】
従って、単一の受光部では、拡散板１４の異常は検出することができない。
【００８７】
この発明において光検出手段が「受光部を複数有する」ことは、このような技術的意義を有するのである。
【００８８】
図６は、図１に示す制御手段としての制御部２５の別の構成例を示している。
【００８９】
繁雑を避けるため、混同の恐れが無いと思われるものについては、図３におけると同一の符号を付した。
【００９０】
図６の構成例では、図３の構成例に対して、第２のデジタル信号プロセッサであるＤＳＰ２５５が付加されている。
【００９１】
ＤＳＰ２５２は、図３の構成例におけると同じく、データ信号ＰＤＤ１ないしＰＤＤ４を入力され、これらを時間的に平均して平均値データＡＶＧＤ１ないしＡＶＧＤ４を出力する。
【００９２】
これら平均値データＡＶＧＤ１ないしＡＶＧＤ４は、ＤＳＰ２５５に入力する。
【００９３】
ＤＳＰ２５５は、入力してくる平均値データＡＶＧＤ１ないしＡＶＧＤ４の差分を演算し、その絶対値を「差分データＡＢＳ１２〜ＡＢＳ３４」として出力する。
【００９４】
図６に示す「６種類の差分データＡＢＳ１２ないしＡＢＳ３４」は、以下のように求められる。  
ＡＢＳ１２：｜ＡＶＧＤ１−ＡＶＧＤ２｜  
ＡＢＳ１３：｜ＡＶＧＤ１−ＡＶＧＤ３｜  
ＡＢＳ１４：｜ＡＶＧＤ１−ＡＶＧＤ４｜  
ＡＢＳ２３：｜ＡＶＧＤ２−ＡＶＧＤ３｜  
ＡＢＳ２４：｜ＡＶＧＤ２−ＡＶＧＤ４｜  
ＡＢＳ３４：｜ＡＶＧＤ３−ＡＶＧＤ４｜                              。
【００９５】
ｘ、ｙをそれぞれ１〜４として、ＡＢＳ１２〜ＡＢＳ３４を、ＡＢＳｘｙとすると、ＡＢＳｘｙは「平均値データＡＶＧＤｘとＡＶＤＣｙとの差」の絶対値である。
【００９６】
即ち、ＡＢＳｘｙは、光検出手段１８における４つの受光部ＰＤ１、ＰＤ２、ＰＤ３、ＰＤ４のうち、任意の２つの組み合わせＰＤｘ、ＰＤｙの受光量データの平均値の「差の絶対値」である。
【００９７】
一方、メモリ２５４には、上記６種類の差分データＡＢＳ１１ないしＡＢＳ３４の個々に対応した閾値ＭＤ１２ないしＭＤ３４が記憶されている。
【００９８】
これら閾値ＭＤ１２ないしＭＤ３４は比較器２５３に入力される。
【００９９】
比較器２５３では、入力してくる上記差分データＡＢＳ１１ないしＡＢＳ３４と、これらに対応する閾値ＭＤ１２ないしＭＤ３４とを比較し、比較の結果を、信号Ｃ１２ないしＣ３４として出力する。
【０１００】
閾値データＭＤ１２ないしＭＤ３４は、図５（ａ）に示す「正常状態での受光信号に対して誤検知を生じない適当な値」に設定される。  
ｘ、ｙをそれぞれ１〜４とすると、信号Ｃｘｙは、ＡＢＳｘｙ≦ＭＤｘｙのとき「Ｌ」であり、ＡＢＳｘｙ＞ＭＤｘｙのとき「Ｈ」となる。
【０１０１】
信号Ｃ１２ないしＣ３４の６種の信号は、ＣＰＵ２５１に入力する。  
ＣＰＵ２５１は、入力してくる信号Ｃ１２ないしＣ３４のうちに「Ｈ」となっているものがあることを検出すると、制御信号ＬＤＣによりＬＤモジュールの全てのＬＤの発光を停止させる。
【０１０２】
この例のように「複数の受光部における受光データについて差分をとる」ことにより、信号の変化量が大きくなって検出精度の向上が図れる場合がある。  
例えば、図５（ａ）に示す「正常状態」では、受光部ＰＤ１ないしＰＤ４が、略均等に照射される。
【０１０３】
このとき、受光部ＰＤ１ないしＰＤ４からの光量データである平均値データＡＶＧＤ１ないしＡＶＧＤ４の値が全て、例えば「４」であったとする。
【０１０４】
拡散板に異常が生じて、光検出手段の受光部への入射状態が図５（ｂ）に示すように受光部ＰＤ１ないしＰＤ４への光照射に不均一が生じた場合(異常状態)を考える。
【０１０５】
このとき、例えば、平均値データＡＶＧＤ１及びＡＶＧＤ２の値が「２」に減り、平均値データＡＶＧＤ３及びＡＶＧＤ４の値がそれぞれ「５」及び「７」に増えたとする。
【０１０６】
そうすると、正常状態と異常状態での平均値データＡＶＧＤ１ないしＡＶＧＤ４の変化量は、図３に即して説明した例では最大で「７−４＝３」である。
【０１０７】
これに対し、図６に即して上に説明した例では、差分データＡＢＣ１１ないしＡＢＳ３４は、正常状態では何れも「０」である。
【０１０８】
上記の異常状態では、平均値データＡＶＧＤ１及びＡＶＧＤ２の値が「２」に減り、平均値データＡＶＧＤ３及びＡＶＧＤ４の値がそれぞれ「５」及び「７」に増えている。
【０１０９】
従って、差分データＡＢＳ１２ないしＡＢＳ３４のうちで最大となるのは、ＡＢＳ１４＝ＡＢＳ２４＝（７−２）＝５である。
【０１１０】
そうすると、正常状態でのＡＢＳ１４＝ＡＢＳ２４＝０に対して、異常状態での変化量は「５」となる。
【０１１１】
即ち、図３に即して上に説明した場合の変化量「３」に対してより大きくなり、検出精度が向上する。
【０１１２】
図７に、この発明のレーザ光源装置の実施の別形態を概略的に示す。
【０１１３】
繁雑を避けるため、近藤の恐れがないと思われるものについては、図１におけると同一の符号を用いている。
【０１１４】
この実施の形態でも、ＬＤモジュール１０、ＬＤ駆動部１１、ビーム合成光学系１２により構成されるレーザ光源からは青色のレーザ光束ＬＢが放射される。
【０１１５】
レーザ光束ＬＢは、ホモジナイザである拡散板１４により可干渉性を除去もしくは十分に軽減され、非可干渉性光束ＩＬＢとなる。
【０１１６】
非可干渉性光束ＩＬＢは、ダイクロイックミラーＤＭ１に入射する。ダイクロイックミラーＤＭ１は「青色光を透過させ、他の波長の光を反射させる特性」を有している。
【０１１７】
ダイクロイックミラーＤＭ１を透過した非可干渉性光束ＩＬＢは、レンズ系ＣＳ１に入射し、同レンズ系ＣＳ１の作用により、蛍光ホイールＷＬ上に光スポットとして集光する。
【０１１８】
蛍光ホイールＷＬは、図８に示すように、金属等による円形状の基板の周辺部に蛍光体層Ｒｄ、Ｙｗ、Ｇｒが周方向に周期的に製膜され、透過部Ｔｒが形成されている。
【０１１９】
青色のレーザ光束を照射されると、蛍光体層Ｒｄは「赤色の波長帯域の蛍光」を、蛍光体層Ｙｗは「黄色の波長領域の蛍光」を放射し、蛍光体層Ｇｒは「緑色の波長帯域の蛍光」を放射する。
【０１２０】
透過部Ｔｒは基板を切り欠くなどして形成され、照射される青色のレーザ光束を通過させる。
【０１２１】
なお、正常状態で蛍光ホイールＷＬに照射されるのは、上述の非可干渉性光束ＩＬＢであり、上記の如くレンズ系ＣＳ１によりスポット状に集光されている。
【０１２２】
蛍光ホイールＷＬはモータＭＴに取り付けられ、モータＭＴにより回転駆動される。
【０１２３】
即ち、制御部２５は、制御信号ＣＴＲＬにより起動命令を受信すると、モータ駆動信号ＭＤ１を出力してモータＭＴを起動する。  
モータＭＴには、その回転状態を検出する手段(図示されず)が内蔵もしくは外付けされており、回転検出信号ＭＸ１を出力する。
【０１２４】
制御部２５は、回転検出信号ＭＸ１を受信してモータＭＴの回転状態を検知する。  
制御部２５は、モータＭＴが「所定の回転速度」に達したことを検知すると、モータＭＴの回転周期に同期した信号ＳＹＮＣを生成／出力するとともに、該同期信号ＳＹＮＣに同期した制御信号ＬＤＣをＬＤ駆動部１１に出力する。
【０１２５】
ＬＤ駆動部１１は、制御信号ＬＤＣを受けるとそれに基いてＬＤ駆動電流ＩＬ１を生成し、ＬＤモジュール１０に出力する。
【０１２６】
このようにして、レーザ光源から、複数の青色のレーザビームを合成された青色のレーザ光束ＬＢが得られることは、図１の実施の形態に即して説明した通りである。
【０１２７】
このように得られた青色のレーザ光束ＬＢは、拡散板１４により非可干渉性光束ＩＬＢとされ、ダイクロイックミラーＤＭ１を透過し、レンズ系ＣＳ１により、蛍光ホイールＷＬ上に集光される。
【０１２８】
非可干渉性光束ＩＬＢの光スポットによる蛍光ホイールの被照射部は、蛍光体層Ｒｄ、Ｙｗ、Ｇｒおよび透過部Ｔｒの順に周期的に切り替わる。
【０１２９】
そして、照射される蛍光体層Ｒｄ、Ｙｗ、Ｇｒが切り替わるのに合わせて、赤・黄・緑の波長領域の蛍光が放射される。
【０１３０】
これら赤・黄・緑の蛍光は、レンズ系ＣＳ１を通って略平行光束となり、ダイクロイックミラーＤＭ１により反射され、リレーレンズＲＬ１を通り、ミラーＭ２により反射される。そして、さらにリレーレンズＲＬ２を通り、ダイクロイックミラーＤＭ２に向かう。
【０１３１】
一方、蛍光ホイールＷＬの透過部Ｔｒを通過した青色の非可干渉性光束ＩＬＢは、レンズ系ＣＳ２を介してミラーＭ１に入射する。
【０１３２】
ミラーＭ１は、入射する非可干渉性光束ＩＬＢの相当部分(例えば９７％)を反射し、残余を透過させる「反射ミラー」であり、「光分離手段」をなす。
【０１３３】
ミラーＭ１により反射された青色の非可干渉性光束ＩＬＢは、リレーレンズＲＬ３を介してダイクロイックミラーＤＭ２に入射する。
【０１３４】
ダイクロイックミラーＤＭ２は「青色の光を反射し、他の色の光は透過させる」特性を有している。
【０１３５】
従って、リレーレンズＲＬ２の側から入射する赤・黄・緑の蛍光は、ダイクロイックミラーＤＭ２を透過し、リレーレンズＲＬ３側から入射する青色の非可干渉性光束は、ダイクロイックミラーＤＭ２により反射される。
【０１３６】
このようにして、赤・黄・緑の蛍光と、青色の非可干渉性光束は、時間的に分離した照明光Ｌｔとなって外部へ射出する。
【０１３７】
この照明光Ｌｔをなす赤・黄・緑・青の光のうち、青色の光は非可干渉性光束であり、赤・黄・緑の光は何れも蛍光であるから非可干渉性である。
【０１３８】
即ち、照明光Ｌｔはインコヒーレントであって危険性はない。
【０１３９】
前述の如く、ミラーＭ１は「光分離手段」をなし、入射する青色の非可干渉性光束の一部を検出用レーザ光束ＬＳとして透過させる。
【０１４０】
この検出用レーザ光束ＬＳは、光検出手段１８により受光される。  
光検出手段１８は、先に図１に示すレーザ光源装置の例に即して説明したのと同様の４分割フォトダイオードである。
【０１４１】
光検出手段１８の複数(４個)の受光部の出力に基づき、ホモジナイザである拡散板１４の異常を検出し、レーザ光源の発光制御を行う工程は、先に図１に示す実施の形態に即して説明したものと同一である。
【０１４２】
制御手段である制御部２５の具体的構成は、図３の構成でもよいし、図６の構成でもよい。これらの構成に応じた制御によりレーザ光源の発光制御が行われる。
【０１４３】
図９に、この発明のレーザ光源装置の実施の他の形態を概略的に示す。
【０１４４】
繁雑を避けるため、近藤の恐れがないと思われるものについては、図１、図７におけると同一の符号を用いている。
【０１４５】
この実施の形態のレーザ光源装置は、図７に示す実施の形態と共通する部分が多いので以下には、図７の装置例と異なる部分につき説明する。
【０１４６】
図９のレーザ光源装置は、照明光Ｌｔとして「赤・黄・緑・青の４色の光」を得るものであるが、光源としては「青色のレーザ光束」を射出するレーザ光源に加え、赤色の光を放射する赤色光用光源を有する。
【０１４７】
この赤色光用光源は、ＬＥＤモジュール４０と、これを駆動するＬＥＤ駆動部３０により構成されており「インコヒーレント光源」である。
【０１４８】
ＬＥＤモジュール４０は、赤色光（非可干渉性である。）を放射するＬＥＤ４１と、放射される赤色光を平行光束化するコリメートレンズ４２とを有し、これらは基板に装荷されている。
【０１４９】
ＬＥＤ４１とコリメートレンズ４２を装荷された基板は、ＬＥＤ４１で発生する熱を放熱してＬＥＤ４１の温度上昇を所定範囲内に抑えるヒートシンクの機能を有している。
【０１５０】
ＬＥＤ４１の点滅は、制御手段としての制御部２５からの制御信号ＬＥＤＣを受けてＬＥＤ駆動部３０が行う。
【０１５１】
ＬＥＤ４１を点灯すると、放射された赤色光はコリメートレンズ４２により平行光束化され、ダイクロイックミラーＤＭ３０に入射する。
【０１５２】
ダイクロイックミラーＤ３０は、赤色光を透過させ、他の色の光を反射させる。
【０１５３】
ダイクロイックミラー３を透過した赤色光は、リレーレンズＲＬ２を介してダイクロイックミラーＤＭ２０に入射する。
【０１５４】
ダイクロイックミラーＤＭ２０は赤色光と緑色光を透過させ、他の色の光を反射する。
【０１５５】
従って、赤色光はダイクロイックミラーＤＭ２０を透過し、射出光学系２０を透過して外部へ射出する。赤色光は非可干渉性であるので、外部へ出ても危険性はない。
【０１５６】
一方、ＬＤモジュール１０とＬＤ駆動部１１とビーム合成光学系１２により構成されるレーザ光源からの青色のレーザ光束ＬＢは、拡散板１４を透過して非可干渉性光束ＩＬＢとなり、ダイクロイックミラーＤＭ１０に入射する。
【０１５７】
ダイクロイックミラーＤＭ１０は青色の光を透過させ、他の色の光を反射させる。
【０１５８】
ダイクロイックミラーＤＭ１０を透過した非可干渉性光束ＩＬＢは、レンズ系ＣＳ１を介して蛍光ホイールＷＬＡにスポット状に集光する。
【０１５９】
蛍光ホイールＷＬＡは、図１０に示すように、金属等による円形状の基板の周辺部に蛍光体層Ｇｒと透過部Ｔｒが周方向に交互に周期的に形成されている。
【０１６０】
蛍光層Ｇｒは、青色のレーザ光を照射されると緑色の波長帯域の蛍光を発する。  
この「緑色の蛍光」は、レンズ系ＣＳ１を介してダイクロイックミラーＤＭ１０に入射して反射され、リレーレンズＲＬ１を介してダイクロイックミラーＤＭ３０に入射する。
【０１６１】
そして、ダイクロイックミラーＤＭ２０を透過し、射出光学系２０を介して外部へ射出する。緑色光は蛍光であるから非可干渉性であり危険性がない。
【０１６２】
蛍光ホイールＷＬＡの透過部Ｔｒを透過した非可干渉性光束ＩＬＢは、レンズ系ＣＳ２を介してミラーＭ１に入射し、反射されるとリレーレンズＲＬ３を介してダイクロイックミラーＤＭ２０に入射する。
【０１６３】
そして、ダイクロイックミラーＤＭ２０により反射され、射出光学系２０を介して外部へ放射される。
【０１６４】
拡散板１４が正常に機能していれば、外部へ放射される青色のレーザ光束は非可干渉性であるから危険性はない。
【０１６５】
図９のレーザ光源装置では、ＬＥＤ４１からの赤色光、非可干渉性光束ＩＬＢによる青色光、緑色の蛍光による緑色光を別箇に得ることができる。
【０１６６】
また、ＬＥＤ４１の発光と、蛍光ホイールＷＬＡによる緑色の蛍光の発光とを同期させれば、赤色光と緑色光の合成により黄色光を得ることもできる。
【０１６７】
なお、モータＭＴによる蛍光ホイールＷＬＡの回転制御は、図７の実施の形態の場合と同様である。
【０１６８】
即ち、制御部２５は、制御信号ＣＴＲＬによって起動命令を受信すると、モータ駆動信号ＭＤ１を出力してモータＭＴを起動する。
【０１６９】
モータＭＴには回転状態を検出する手段が内蔵もしくは外付けされており、回転検出信号ＭＸ１を出力する。
【０１７０】
制御部２５は、回転検出信号ＭＸ１を受信してモータＭＴの回転状態を検知する。  
そしてモータＭＴが所定の回転速度に達したことを検知すると、モータＭＴの回転周期に同期した信号ＳＹＮＣを生成／出力するとともに、該同期信号ＳＹＮＣに同期した制御信号ＬＤＣ及びＬＥＤＣをそれぞれＬＤ駆動部１１及びＬＥＤ駆動部３０に出力する。
【０１７１】
ＬＥＤ駆動部３０は、制御信号ＬＥＤＣを受信するとそれに基いて駆動電流ＩＬ２を生成し、ＬＥＤ４１に対して出力しＬＥＤ４１を赤色に発光させる。
【０１７２】
ＬＤ駆動部１１は、制御信号ＬＤＣを受けるとＬＤ駆動電流ＩＬ１を生成し、ＬＤ１００に出力する。  
ＬＤ１００は駆動電流ＩＬ１の通電により、所定の波長のレーザビーム(説明中の例で「青色のレーザビーム」)を放射する。
【０１７３】
図９のレーザ光源装置においても、ミラーＭ１は「光分離手段」をなし、入射する青色の非可干渉性光束ＩＬＢの一部を検出用レーザ光束ＬＳとして透過させる。
【０１７４】
この検出用レーザ光束ＬＳは、光検出手段１８により受光される。  
光検出手段１８は、先に図１に示すレーザ光源装置の例に即して説明したのと同様の４分割フォトダイオードである。
【０１７５】
光検出手段１８の複数の受光部の出力に基づき、ホモジナイザである拡散板１４の異常を検出し、レーザ光源の発光制御を行う工程は、先に図１に示す実施の形態に即して説明したものと同一である。
【０１７６】
制御手段である制御部２５の具体的構成は、図３の構成でもよいし、図６の構成でもよい。これらの構成に応じた制御によりレーザ光源の発光制御が行われる。
【０１７７】
図１１は、この発明のレーザ光源装置の実施のさらに他の形態を示す。
【０１７８】
繁雑を避けるべく、混同の恐れがないと思われるものについては、図１、図７におけると同一の符号を用いる。
【０１７９】
図１１に実施の形態を示すレーザ光源装置は、図１、図７、図９に示した例におけると同じく、レーザ光源からコヒーレントな青色のレーザ光束ＬＢを放射する。
【０１８０】
レーザ光束ＬＢは、ＬＤモジュール１０の複数のＬＤ１００から放射され、各ＬＤに対応するコリメートレンズ１０１により平行光束化された青色の複数のレーザビームを、ビーム合成光学系１２により合成したものである。
【０１８１】
ＬＤモジュール１０、ビーム合成光学系１２は、図１、図７、図９に示した例におけると同一のものでよく、これらとともに「レーザ光源」を構成する「ＬＤ駆動部」は、図１１においては、制御部２５Ａに含められ、図１１に図示されていない。
【０１８２】
レーザ光源から放射された青色のレーザ光束ＬＢはミラーホイールＷＬＭに入射する。
【０１８３】
ミラーホイールＷＬＭは、図１２に１例を示すように円板形状であって、反射部ＲＦと透過部ＴＲとが形成されている。
【０１８４】
即ち、ミラーホイールＷＬＭは、例えば、ガラス円板の一部にアルミニウムの製膜により反射部ＲＦを形成し、残りの部分を透過部ＴＲとして構成したものであることができる。
【０１８５】
ミラーホイールＷＬＭは、モータＭＴ２により回転駆動される。  
即ち、制御部２５Ａが制御信号ＣＴＲＬにより機動されると、モータ駆動信号ＭＤ２を出力してモータＭＴ２の駆動を開始する。
【０１８６】
モータＭＴ２にも、図示されない「回転状態を検出する手段」が内蔵もしくは外付けされており、回転検出信号ＭＸ２を出力する。
【０１８７】
図１１の実施の形態では、蛍光ホイールＷＬＢが設けられている。
【０１８８】
蛍光ホイールＷＬＢは、図１３に示すように、金属等による円形状の基板の周辺部に蛍光体層Ｒｄ、Ｙｗ、Ｇｒが周方向に交互に周期的に形成されている。
【０１８９】
青色のレーザ光束を照射されると、蛍光体層Ｒｄは「赤色の波長帯域の蛍光」を、蛍光体層Ｙｗは「黄色の波長領域の蛍光」を放射し、蛍光体層Ｇｒは「緑色の波長帯域の蛍光」を放射する。
【０１９０】
蛍光ホイールＷＬＢはモータＭＴに取り付けられ、モータＭＴにより回転駆動される。
【０１９１】
制御部２５Ａは、制御信号ＣＴＲＬにより起動命令を受信すると、モータ駆動信号ＭＤ１を出力してモータＭＴを起動する。  
モータＭＴには、その回転状態を検出する手段(図示されず)が内蔵もしくは外付けされており、回転検出信号ＭＸ１を出力する。
【０１９２】
制御部２５Ａは、回転検出信号ＭＸ１により蛍光ホイールＷＬＢの回転状態を監視し、回転検出信号ＭＸ２によりミラーホイールＷＬＭの回転状態を監視する。
【０１９３】
制御部２５Ａは、回転検出信号ＭＸ１及びＭＸ２によってモータＭＴ及びモータＭＴ２がともに正常に回転していることを検知すると、モータＭＴ、ＭＴ２の回転周期に同期した信号ＳＹＮＣを生成／出力するとともに、該同期信号ＳＹＮＣに同期した制御信号をＬＤ駆動部(図１１には図示されていない。)に出力する。
【０１９４】
ＬＤ駆動部は、制御信号を受けるとＬＤ駆動電流ＩＬ１を生成し、ＬＤモジュール１０のＬＤ１００に出力する。ＬＤ１００は駆動電流ＩＬ１の通電により「青色の波長帯域のレーザビーム」を放射する。
【０１９５】
これらのレーザビームが、前述の如く、ビーム合成光学系１２によりコヒーレントなレーザ光束ＬＢとして合成される。
【０１９６】
レーザ光束ＬＢは、ミラーホイールＷＬＭに入射する。  
ミラーホイールＷＬＭは、入射してくるレーザ光束ＬＢを、反射部ＲＦで反射し、また透過部ＴＲでは透過させる。
【０１９７】
即ち、レーザ光束ＬＢは、ミラーホイールＷＬＭによる反射と透過により反射光束と透過光束に時間的に分割される。
【０１９８】
ミラーホイールＷＬＭにより反射されたレーザ光束ＬＢは、ホモジナイザとしての拡散板１４を透過することにより「可干渉性を除去もしくは十分に軽減」され、非可干渉性光束ＩＬＢとなる。
【０１９９】
非可干渉性光束ＩＬＢは、リレーレンズＲＬ１を介してミラーＭ１に入射する。ミラーＭ１は、図７、図９に示したミラーＭ１と同様「光分離手段」をなす。
【０２００】
即ち、ミラーＭ１は、入射する青色の非可干渉性光束ＩＬＢの一部を検出用レーザ光束ＬＳとして透過させ、透過した検出用レーザ光束ＬＳは光検出手段１８により受光される。
【０２０１】
ミラーＭ１で反射された非可干渉性光束ＩＬＢは、リレーレンズＲＬ２を介してダイクロイックミラーＤＭ２００を透過し、射出光学系２０を介して照明光Ｌｔとして外部に射出する。
【０２０２】
拡散板１４の機能が正常である正常状態では、このとき射出する照明光は「非可干渉性光束ＩＬＢ」であり非可干渉性であるから危険性はない。
【０２０３】
一方、ミラーホイールＷＬＭを透過した青色のレーザ光束ＬＢはコヒーレント状態を保ちつつ、ダイクロイックミラーＤＭ１００を透過し、レンズ系ＣＳにより蛍光ホイールＷＬＢにスポット状に集光される。
【０２０４】
レーザ光束ＬＢで照射された蛍光ホイールＷＬＢは、照射される蛍光体層Ｒｄ、Ｙｗ、Ｇｒが周期的に切り替わるのに応じて、赤、黄、緑の蛍光を発光する。
【０２０５】
これらの蛍光はレンズ系ＣＳを介してダイクロイックミラーＤＭ１００に入射する。
【０２０６】
ダイクロイックミラーＤＭ１００は、青色光を透過させ、他の色の光を反射する。
【０２０７】
従って、ダイクロイックミラーＤＭ１００に入射した上記赤、黄、緑の蛍光は、順次
反射され、リレーレンズＲＬ３を介してダイクロイックミラーＤＭ２００に入射する。
【０２０８】
ダイクロイックミラーＤＭ２００は、青色光を透過させ、他の色の光を反射する。
【０２０９】
従って、上記赤、黄、緑の蛍光は、ダイクロイックミラーＤＭ２００により反射され、射出光学系２０を介して外部へ射出する。これらは何れも蛍光であるからインコヒーレントであり、危険性はない。
【０２１０】
このようにして、射出光学系２０から「青、赤、黄、緑の各色に時分割」された照明光Ｌｔが射出する。
【０２１１】
これら各色の照明光は、拡散板１４が正常状態であれば、非可干渉性(インコヒーレント)で危険性はない。
【０２１２】
前述の如く、図１１のレーザ光源装置においても、ミラーＭ１は「光分離手段」をなし、入射する青色の非可干渉性光束ＩＬＢの一部を検出用レーザ光束ＬＳとして透過させる。
【０２１３】
この検出用レーザ光束ＬＳは、光検出手段１８により受光される。  
光検出手段１８は、先に図１に示すレーザ光源装置の例に即して説明したのと同様の４分割フォトダイオードである。
【０２１４】
光検出手段１８の複数の受光部の出力に基づき、ホモジナイザである拡散板１４の異常を検出し、レーザ光源の発光制御を行う工程は、先に図１に示す実施の形態に即して説明したものと同一である。
【０２１５】
制御手段である制御部２５の具体的構成は、図３の構成でもよいし、図６の構成でもよい。これらの構成に応じた制御によりレーザ光源の発光制御が行われる。
【０２１６】
上には、レーザ光源から得られるレーザ光束ＬＢを「青色のレーザ光束」として説明したが、説明の具体性のためであり、これに限定されるものでないことは言うまでもない。
【０２１７】
以下、図１４を参照して、投影表示装置の実施の１形態を説明する。
【０２１８】
符号１は「映像処理部」、符号３は「レーザ光源装置」、符号５は「導光部材」を示す。
【０２１９】
また、符号７は「集光レンズ系」、符号９は「反射鏡」、符号２は「画像表示素子」、符号４は「投影光学系」を示す。
【０２２０】
図１４（ｂ）は、図１４（ａ）の状態を投影光学系４の光軸方向から見た図である。
【０２２１】
この投影表示装置は、カラー画像を投影表示するものであり、レーザ光源装置３としては、図７、図９、図１１に即して上に説明したものを適宜に用いることができる。
【０２２２】
映像処理部１は、映像信号ＶＩＮを入力されると、そのフレーム周波数に基づいて前述のモータＭＴやモータＭＴ２の回転周期データを、制御信号ＣＴＲＬを介してレーザ光源装置３に出力する。
【０２２３】
そして、レーザ光源装置３から同期信号ＳＹＮＣを受け、これに基づきＬＤ１００やＬＥＤ４１の駆動波形データを順次出力する。
【０２２４】
映像処理部１は、上記の如くしてレーザ光源装置３の動作設定が完了すると、起動コマンドを出力してレーザ光源装置３を起動する。
【０２２５】
レーザ光源装置３は起動すると、赤・青・緑・黄の照明光を所定のタイミングでシーケンシャルに放射する。
【０２２６】
レーザ光源装置３から射出した照明光は、導光部材５によって「面状の均一な照明光」に変換され、集光レンズ系７、反射鏡９を介して、画像表示素子２の画像表示面を照明する。
【０２２７】
映像処理部１はまた、映像信号ＶＩＮに基づき「照明光の各色に対応した表示信号」を生成し、画像表示素子２を駆動する信号ＶＤＯに変換して出力する。
【０２２８】
この信号ＶＤＯに従って、画像表示素子２の画像表示面に「各色の画像成分」が、照明光のシーケンスに合わせて表示される。
【０２２９】
このように表示された各色の画像成分により変調された反射光は、投影光学系４により図示されないスクリーン上に投影表示される。
【０２３０】
投影表示される画像の色が順次に切り替わることにより、カラー画像が観察される。
【０２３１】
画像表示素子２としては、例えば、ＤＭＤを使用することができる。
【０２３２】
レーザ光源装置３において、ホモジナイザの破損や脱落などの異常が発生したときは、前述の如くしてレーザ光源装置の駆動が停止される。  
この情報は、制御信号ＣＴＲＬによって映像処理部１に伝えられ、映像処理部１は投影動作を終了して異常の発生を示すインジケータを駆動するなど、必要な処理を行なう。
【０２３３】
以上に説明したように、この発明によれば、以下のごときレーザ光源装置や投影表示装置を実現できる。
【０２３４】
[１]
複数のレーザビームを合成してレーザ光束とするレーザ光源と、該レーザ光源からのレーザ光束の可干渉性を除去もしくは低減するホモジナイザと、該ホモジナイザを通過したレーザ光束を射出させる射出光学系と、前記ホモジナイザから前記射出光学系に向かう前記レーザ光束の一部を検出用レーザ光束として分岐させる光分離手段と、複数の受光部を有し、前記光分離手段により分岐された検出用レーザ光束を受光する光検出手段と、該光検出手段の複数の受光部の出力に基づき、前記レーザ光源の発光制御を行う発光制御手段と、を有するレーザ光源装置。
【０２３５】
[２]
[１]に記載のレーザ光源装置において、発光制御手段が、複数の受光部の出力の異常を検出したときに、レーザ光源の発光を停止もしくは減光させるレーザ光源装置。
【０２３６】
[３]
[２]に記載のレーザ光源装置において、複数の受光部の出力の異常は、１以上の受光部の出力が所定量を超えることにより検出されるレーザ光源装置。
【０２３７】
[４]
[２]に記載のレーザ光源装置において、複数の受光部の出力の異常は、少なくとも２つの受光部の出力の差分が所定量を超えることにより検出されるレーザ光源装置。
【０２３８】
[５]
[１]ないし[４]の何れか１に記載のレーザ光源装置において、複数の受光部を有する光検出手段が、複数の受光部を相互に近接させた複数の受光手段であるレーザ光源装置。
【０２３９】
[６]
[５]に記載のレーザ光源装置において、光検出手段が、１パッケージに複数の受光部を備えた分割フォトダイオードであるレーザ光源装置。
【０２４０】
[７]
[１]ないし[６]の何れか１に記載のレーザ光源装置において、光分離手段が、入射光の一部を反射させずに透過させるように反射率を設定された反射ミラーであるレーザ光源装置。
【０２４１】
[８]
[１]ないし[７]の何れか１に記載のレーザ光源装置において、レーザ光源から得られるレーザ光束により該レーザ光束の色と異なる色の蛍光を放射する蛍光ホイールを有するレーザ光源装置。
【０２４２】
[９]
[１]ないし[８]の何れか１に記載のレーザ光源装置において、レーザ光源から得られるレーザ光束の色と異なる非可干渉性の光を放射するインコヒーレント光源を有するレーザ光源装置。
【０２４３】
[１０]
画像表示素子に表示される画像をレーザ光源装置による照明光により照射し、前記画像により変調された光を、投影光学系により拡大して投影表示する投影表示装置であって、
レーザ光源装置として、請求項１ないし９の何れか１項に記載のものを用いる投影表示装置。
【符号の説明】
【０２４４】
１０      ＬＤモジュール  
１００    ＬＤ  
１０１    コリメートレンズ  
１１      ＬＤ駆動部  
１２      ビーム合成光学系  
１４      ホモジナイザとしての拡散板  
１６      光分離手段  
１８      光検出手段  
２２１〜２２４      増幅器  
２３１〜２３４      アナログデジタル変換器  
２５      制御手段としての制御部  
【先行技術文献】
【特許文献】
【０２４５】
【特許文献１】特開２０１２−１４１５８１号公報
【特許文献２】特開２０１２−２８７１号公報
【図１】
2015169826.tif 000003
【図２】
2015169826.tif 000004
【図３】
2015169826.tif 000005
【図４】
2015169826.tif 000006
【図５】
2015169826.tif 000007
【図６】
2015169826.tif 000008
【図７】
2015169826.tif 000009
【図８】
2015169826.tif 000010
【図９】
2015169826.tif 000011
【図１０】
2015169826.tif 000012
【図１１】
2015169826.tif 000013
【図１２】
2015169826.tif 000014
【図１３】
2015169826.tif 000015
【図１４】
2015169826.tif 000016